(57)【要約】【課題】装置本体を振る速度に合わせて複数の発光素子を時系列に駆動させることで残像効果を利用した情報表示を行う場合に、装置本体をどのように振ったとしても同じ情報を残像効果を利用して表示できるようにする。【解決手段】制御部１は、発光部１０を構成する複数の発光素子が斜め一列に配置されている状態で、加速度センサ１２によって検出された振る速度に合わせて表示対象情報の発光パターンを切り出しながら複数の発光素子を時系列に駆動させる際に、加速度センサ１２によって検出された振りの状態に応じてその切り出し駆動の仕方を変更する。【選択図】  図１
2010079618.tif 000002
【特許請求の範囲】
【請求項１】
装置本体の表面に直線的に配置された複数の発光素子を有し、この装置本体を振る速度に合わせて当該複数の発光素子を時系列に駆動させることで残像効果を利用した情報表示を行う端末装置であって、
前記複数の発光素子を斜め直線的に配置した発光表示手段と、
装置本体が振られた際に、その振りの状態を検出する状態検出手段と、
装置本体を振る速度に合わせて表示対象情報の発光パターンを順次切り出しながら前記複数の発光素子を時系列に駆動させる際に、前記状態検出手段によって検出された振りの状態に応じてその切り出し駆動の仕方を変更する表示制御手段と、
を具備したことを特徴とする端末装置。
【請求項２】
前記状態検出手段は、装置本体の振り方向を検出し、
前記表示制御手段は、前記状態検出手段によって検出された装置本体の振り方向に応じてその切り出し駆動の仕方を変更する、
ようにしたことを特徴とする請求項１記載の端末装置。
【請求項３】
前記状態検出手段は、装置本体の向きを検出し、
前記表示制御手段は、前記状態検出手段によって検出された装置本体の向きに応じてその切り出し駆動の仕方を変更する、
ようにしたことを特徴とする請求項１記載の端末装置。
【請求項４】
方形状を成す装置本体の表面にその矩形の対角線上に沿って複数の発光素子を配置することで当該複数の発光素子が斜め直線的に配置されている状態において、前記状態検出手段は、装置本体の辺毎にその辺が鉛直方向を向く状態を装置本体の向きとして検出する、
ようにしたことを特徴とする請求項３記載の端末装置。
【請求項５】
前記状態検出手段は、装置本体の振り方向を検出すると共に、装置本体の向きを検出し、
前記表示制御手段は、前記状態検出手段によって検出された装置本体の振り方向と向きに応じてその切り出し駆動の仕方を変更する、
ようにしたことを特徴とする請求項１記載の端末装置。
【請求項６】
コンピュータに対して、
装置本体の表面に一列に配置された複数の発光素子を装置本体の振る速度に合わせて時系列に駆動させることで残像効果を利用した情報表示を行う機能と、
前記複数の発光素子が斜め一列に配置されている状態において、装置本体が振られた際に、その振りの状態を検出する機能と、
装置本体を振る速度に合わせて表示対象情報の発光パターンを順次切り出しながら前記複数の発光素子を時系列に駆動させる際に、前記検出された振りの状態に応じてその切り出し駆動の仕方を変更する機能と、
を実現させるためのプログラム。
【発明の詳細な説明】
【技術分野】
【０００１】
この発明は、装置本体の表面に直線的に配置された複数の発光素子を有し、この装置本体を振る速度に合わせて当該複数の発光素子を時系列に駆動させることで残像効果を利用した情報表示を行う端末装置及びプログラムに関する。
【背景技術】
【０００２】
従来、ＬＥＤ（light emitting diode）などの発光素子を筐体に直線的に配列し、装置本体を振る速度に合わせて発光素子を発光させることで残像効果を利用した情報表示を行う電子機器が知られている。例えば、装置本体を振ったときの残像効果を利用して絵又はテキストなどのメッセージを表示するようにした玩具が知られており（特許文献１参照）、また、多数の発光素子が棒状ケースに直線的に配列されている状態において、これを左右に振ることによって種々変化した２次元の残像イメージを得るようにした表示具が知られている（特許文献２参照）。
【特許文献１】特開２００５−２３０２９７号公報
【特許文献２】特開平０５−３４１７２０号公報
【発明の開示】
【発明が解決しようとする課題】
【０００３】
しかしながら、上述した各先行技術にあっては、装置本体をどのような状態で把持し、どのような方向に振るかが固定されてしまうため、ユーザにあっては、どのように把持し、どの方向に振るかを常に意識しなければならず、それ以外の把持や振る方向では残像効果による表示を得ることはできなかった。
【０００４】
この発明の課題は、装置本体を振る速度に合わせて複数の発光素子を時系列に駆動させることで残像効果を利用した情報表示を行う場合に、装置本体をどのように振ったとしても同じ情報を残像効果を利用して表示できるようにすることである。
【課題を解決するための手段】
【０００５】
上述した課題を解決するために請求項１記載の発明は、装置本体の表面に直線的に配置された複数の発光素子を有し、この装置本体を振る速度に合わせて当該複数の発光素子を時系列に駆動させることで残像効果を利用した情報表示を行う端末装置であって、前記複数の発光素子を斜め直線的に配置した発光表示手段と、装置本体が振られた際に、その振りの状態を検出する状態検出手段と、装置本体を振る速度に合わせて表示対象情報の発光パターンを順次切り出しながら前記複数の発光素子を時系列に駆動させる際に、前記状態検出手段によって検出された振りの状態に応じてその切り出し駆動の仕方を変更する表示制御手段と、を具備したことを特徴とする。
【０００６】
請求項１に従属する発明として、前記状態検出手段は、装置本体の振り方向を検出し、前記表示制御手段は、前記状態検出手段によって検出された装置本体の振り方向に応じてその切り出し駆動の仕方を変更する、ようにしたことを特徴とする請求項２記載の発明であってもよい。
【０００７】
請求項１に従属する発明として、前記状態検出手段は、装置本体の向きを検出し、前記表示制御手段は、前記状態検出手段によって検出された装置本体の向きに応じてその切り出し駆動の仕方を変更する、ようにしたことを特徴とする請求項３記載の発明であってもよい。
【０００８】
請求項３に従属する発明として、方形状を成す装置本体の表面にその矩形の対角線上に沿って複数の発光素子を配置することで当該複数の発光素子が斜め直線的に配置されている状態において、前記状態検出手段は、装置本体の辺毎にその辺が鉛直方向を向く状態を装置本体の向きとして検出する、ようにしたことを特徴とする請求項４記載の発明であってもよい。
【０００９】
請求項１に従属する発明として、前記状態検出手段は、装置本体の振り方向を検出すると共に、装置本体の向きを検出し、前記表示制御手段は、前記状態検出手段によって検出された装置本体の振り方向と向きに応じてその切り出し駆動の仕方を変更する、ようにしたことを特徴とする請求項５記載の発明であってもよい。
【００１０】
また、上述した課題を解決するために請求項６記載の発明は、コンピュータに対して、装置本体の表面に一列に配置された複数の発光素子を装置本体の振る速度に合わせて時系列に駆動させることで残像効果を利用した情報表示を行う機能と、前記複数の発光素子が斜め一列に配置されている状態において、装置本体が振られた際に、その振りの状態を検出する機能と、装置本体を振る速度に合わせて表示対象情報の発光パターンを順次切り出しながら前記複数の発光素子を時系列に駆動させる際に、前記検出された振りの状態に応じてその切り出し駆動の仕方を変更する機能と、を実現させるためのプログラムを特徴とする。
【発明の効果】
【００１１】
この発明によれば、装置本体を振る速度に合わせて複数の発光素子を時系列に駆動させることで残像効果を利用した情報表示を行う場合に、装置本体をどのように振ったとしても同じ情報を残像効果を利用して表示することが可能となり、柔軟性に富み、使い勝手を向上させることができる。
【発明を実施するための最良の形態】
【００１２】
以下、図１〜図９を参照して本発明の実施形態を説明する。
この実施形態は、端末装置として携帯電話機に適用した場合を例示したもので、図１は、この携帯電話機の基本的な構成要素を示したブロック図である。
この携帯電話機は、折り畳み自在な構成で、通話機能、電子メール機能、インターネット接続機能（Ｗｅｂアクセス機能）、音楽再生機能、テレビ機能など、各種の機能を備えている。制御部１は、二次電池を備えた電源部２からの電力供給によって動作し、記憶部３内の各種のプログラムに応じてこの携帯電話機の全体動作を制御するもので、この制御部１にはＣＰＵ（中央演算処理装置）やメモリなどが設けられている。
【００１３】
記憶部３は、ＲＯＭ、ＲＡＭなどの内部メモリで、プログラム領域とデータ領域とを有し、このプログラム領域には、後述する図４〜図６に示す動作手順に応じて本実施形態を実現するためのプログラムが格納されている。なお、記憶部３としては、例えば、ＳＤカード、ＩＣカードなど、着脱自在な可搬型メモリ（記録メディア）を含む構成であってもよい。表示部４は、液晶、有機ＥＬなどを使用した高精細な表示装置で、数値、文字、待受画像、テレビ映像などを表示する。操作部５は、ダイヤル入力、文字入力、コマンド入力などを行うもので、制御部１は、操作部５からの操作信号に応じた処理として、例えば、発信処理など、各種の処理を実行する。
【００１４】
通信部６は、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調したのち、電話部７を介して通話用スピーカＳＰから音声出力させ、また、通話用マイクＭＣからの入力音声データを電話部７から取り込み、送信ベースバンド信号に符号化したのち、ベースバンド部の送信側に与えてアンテナから発信出力させる。
【００１５】
音楽再生部８は、音楽プレイヤーを構成するもので、ユーザ操作によって任意に選択された音楽コンテンツを読み出して、サウンドスピーカ（図示せず）から出力させる。テレビ放送受信部９は、地上波デジタルテレビ放送と共に、電子番組表（ＥＰＧ）などの番組情報も含めて受信可能なもので、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したりするデジタル回路部を有している。
【００１６】
発光部１０は、複数（例えば、１３個）の発光素子（ＬＥＤ）を斜め方向へ直線的（斜め一列）に配置した構成となっている。制御部１は、装置本体を振る速度に合わせて当該複数の発光素子を時系列に順次駆動させることで残像効果を利用した情報表示を行わせるようにしている。なお、斜め一列に配置されている複数の発光素子は、それが右下がり方向に傾いている場合に、その傾きは鉛直方向に対して３０度、又は６０度となっている。この発光部１０に表示される表示対象の情報は、例えば、時計部１１によって計時された現在時刻である。なお、表示対象情報は、現在時刻に限らず、絵又はテキストなどのメッセージを表示するようにしてもよい。
【００１７】
加速度センサ１２は、３軸タイプの加速度センサによって構成されたもので、装置本体の向きを検出したり、装置本体を振ったときの振り方向を検出したり、装置本体を振ったときの加速度を検出したりする。制御部１は、加速度センサ１２によって装置本体が振られたことが検出された際に、装置本体を振る速度に合わせて表示対象情報の発光パターンを斜め一列（発光部１０を構成する複数の発光素子の配列方向）に合わせて順次切り出しながら複数の発光素子を時系列に順次点灯駆動させるが、その際、加速度センサ１２によって検出された振りの状態に応じてその切り出し駆動の仕方を変更するようにしている。
【００１８】
図２は、携帯電話機の外観図である。
携帯電話機は、装置本体を構成する操作部筐体Ａと表示部筐体Ｂとがヒンジ部Ｃを介して開閉可能に取り付けられた折り畳み自在なもので、図２（ａ）は、操作部筐体Ａと表示部筐体Ｂとを折り畳んだ状態のクローズスタイルを示し、図２（ｂ）は、その折り畳みを開いた状態のオープンスタイルを示した図である。この表示部筐体Ｂの外面側には、発光部１０を構成する複数の発光素子ＬＥＤ１〜ＬＥＤ１３が斜め一列に配置されている。すなわち、方形状（縦長の長方形）を成す表示部筐体Ｂの表面に、その長方形の対角線上に沿って複数の発光素子ＬＥＤ１〜ＬＥＤ１３を配置することで当該複数の発光素子ＬＥＤ１〜ＬＥＤ１３が斜め一列に配置されている。また、図２（ｂ）において、操作部筐体Ａの内面側には、図１に示した操作部５が配置され、また、表示部筐体Ｂの内面側には、図１に示した表示部４が配置されている。
【００１９】
図３は、加速度センサ１２によって検出された装置本体を振る速度に合わせて複数の発光素子ＬＥＤ１〜ＬＥＤ１３を時系列に駆動させた場合の表示例を示した図である。
すなわち、図中、斜め一列に配置された各発光素子ＬＥＤ１〜ＬＥＤ１３が右下がりとなるように装置本体が向いている状態において、この装置本体を左方向から右方向に振った場合に、その残像効果によって現在時刻（例えば、１６：５７）が空間上でイメージ認識された様子を示したもので、制御部１は、装置本体を振る速度に合わせて、現在時刻（１６：５７）の発光パターンを順次切り出しながら各発光素子ＬＥＤ１〜ＬＥＤ１３を時系列に駆動させるようにしている。なお、図示の例は、“１６：５７”の発光パターンの“１”の左下部から切り出したドットパターンにしたがって発光素子ＬＥＤ１３を発光駆動させた場合を示している。
【００２０】
次に、この実施形態における携帯電話機の動作概念を図４〜図６に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施形態特有の動作を実行することもできる。
【００２１】
図４は、電源投入（オン）に伴って実行開始される携帯電話機の全体動作の概要を示したフローチャートである。
先ず、制御部１は、所定のメモリをクリアするなどの初期処理を行ったのち（ステップＡ１）、着信などの待ち受け状態となる（ステップＡ２）。そして、この待ち受け状態において、通信部６から電話の着信有無をチェックし（ステップＡ３）、電話着信を検出したときには、回線接続させるオフフック操作に応答して（ステップＡ４でＹＥＳ）、通話可能状態とする通話処理を開始する（ステップＡ５）。その後、オンフック操作に応答して（ステップＡ６でＹＥＳ）、回線切断処理の実行後（ステップＡ７）、待ち受け状態に戻る（ステップＡ２）。
【００２２】
また、待ち受け状態において何らかの操作が行われたときには（ステップＡ８でＹＥＳ）、操作に応じた処理として、例えば、発信処理、メール送信処理などを行い（ステップＡ９）、何の操作も行われていないときには（ステップＡ８でＮＯ）、加速度センサ１２からの検出結果に基づいて装置本体の向きが変化したかを調べ（ステップＡ１０）、装置本体の向きが変化したときには、後述する向き判定処理に移る（ステップＡ１１）。また、加速度センサ１２からの検出結果に基づいて装置本体が振られたかを調べ（ステップＡ１２）、装置本体が振られたときには、表示対象情報（現在時刻）を取得し（ステップＡ１３）、この表示対象情報を発光部１０から出力させる発光用のトッドパターン（発光パターン）に変換して表示バッファ（図示せずに）に展開したのち（ステップＡ１４）、後述する発光制御処理に移る（ステップＡ１５）。
【００２３】
図５は、向き判定処理（図４のステップＡ１１）を詳述するためのフローチャートであり、以下、図７を参照しながら向き判定処理を説明するものとする。
図７は、装置本体の向きを説明するための図で、複数の発光素子ＬＥＤ１〜ＬＥＤ１３が斜め一列に配置されている状態において、加速度センサ１２は、装置本体の辺毎にその辺が鉛直方向（重力方向）Ｇを向く方向を基準として、装置本体の向きをそれぞれ検出する。言い換えれば、３次元空間座標系において、その短辺方向がＸ軸方向に対応し、また、長辺方向がＺ軸方向に対応し、また、厚さ方向がＹ軸方向に対応している場合に、制御部１は、加速度センサ１２によって検出された重力方向ＧがプラスＺ軸方向かマイナスＺ軸方向か、又はプラスＸ軸方向かマイナスＸ軸方向かに応じて装置本体の向きをそれぞれ判定するようにしている。
【００２４】
先ず、制御部１は、加速度センサ１２からその検出結果を取得し（ステップＢ１）、その重力方向Ｇは３次元空間座標系のＺ軸方向に近いかを調べ（ステップＢ２でＹＥＳ）、Ｚ軸方向に近ければ、そのＺ軸方向に対して重力方向は３次元空間座標系のプラス方向かマイナス方向かを調べる（ステップＢ３）。いま、重力方向ＧがプラスＺ軸方向であれば（ステップＢ３でＹＥＳ）、図７（ａ）に示すような向き（縦長正向き）であると判定し（ステップＢ４）、マイナスＺ軸方向であれば（ステップＢ３でＮＯ）、図７（ｂ）に示すような向き（縦長逆向き）であると判定する（ステップＢ５）。
【００２５】
また、重力方向ＧがＸ軸方向に近ければ（ステップＢ２でＮＯ）、そのＸ軸方向に対して重力方向Ｇがプラス方向かマイナス方向かを調べる（ステップＢ６）。いま、重力方向ＧがプラスＸ軸方向であれば（ステップＢ６でＹＥＳ）、図７（ｃ）に示すような向き（横長正向き）であると判定するが（ステップＢ７）、重力方向ＧがマイナスＸ軸方向であれば（ステップＢ６でＮＯ）、図７（ｄ）に示す向きような（横長逆向き）であると判定する（ステップＢ８）。
【００２６】
図６は、発光制御処理（図４のステップＡ１５）を詳述するためのフローチャートである。
先ず、制御部１は、上述した向き判定結果を参照して（ステップＣ１）、“縦長正向き”か、“縦長逆向き”か、“横長正向き”か、“横長逆向き”を判定し、その結果、“縦長正向き”であれば、この“縦長正向き”に応じた発光制御処理に移る（ステップＣ２〜Ｃ１０）。すなわち、装置本体はＸ軸方向に振られたかを調べ（ステップＣ２）、その振り方向がＸ軸方向であれば、Ｘ軸方向の加速度が予め設定されている閾値以上かを調べる（ステップＣ３）。
【００２７】
ここで、Ｘ軸方向の加速度が閾値未満であれば（ステップＣ３でＮＯ）、発光部１０を駆動せずに、図６のフローの終了となるが、その加速度が閾値以上であれば（ステップＣ３でＹＥＳ）、その加速度の方向はプラス方向であるかを調べる（ステップＣ４）。いま、加速度の方向がプラス方向であれば、次のステップＣ５に移り、表示対象情報の発光パターンの中から“縦長正向き”及び振り方向（Ｘ軸プラス方向）に応じて切り出したドットパターンをその加速度に応じた間隔で点灯駆動させる。
【００２８】
図８は、“縦長正向き”及び振り方向（Ｘ軸プラス方向）に応じてドットパターンの切り出し方を例示した図である。なお、図８（ａ）において、図中、Ｖ字を矩形で囲った図形は、表示対象情報の発光パターンを示し、また、図中、右横方向への矢印は、装置本体の振り方向を示し、斜め方向への矢印は、斜め一列に配置された発光素子ＬＥＤ１〜ＬＥＤ１３の配列方向（ドットパターンの切り出し方向）を示している。この場合、発光パターンの左下角部分から発光素子ＬＥＤ１〜ＬＥＤ１３の配列方向（切り出し方向）に沿って１ドット列分のパターンを切り出すと共に、その切り出し方向をＸ軸プラス方向に移動しながら順次切り出す。
【００２９】
図８（ｂ）は、図８（ａ）に示した斜め方向の矢印（切り出し方向）に相当する位置で切り出された１列分のドットパターンを示し、図８（ｃ）は、次にＸ軸プラス方向に移動した位置において、図８（ａ）に示した斜め方向の矢印（切り出し方向）に相当する位置で切り出された１列分のパターンを示している。なお、図８（ｂ）、（ｃ）において、黒く塗り潰したドットは、発光素子ＬＥＤ１〜ＬＥＤ１３を点灯駆動した点灯ドットであることを示している。
図９（ａ）は、“縦長正向き”及び振り方向（Ｘ軸プラス方向）の場合の表示例を示した図で、Ｖ字を矩形で囲んだ図形が表示されるが、この図形の左下角部が最も早く（古く）表示され、右上角部が最も遅く（新しく）表示される。
【００３０】
また、加速度が閾値以上の場合において（ステップＣ３でＹＥＳ）、その加速度がマイナス方向であれば（ステップＣ４でＮＯ）、切り出し駆動の仕方を変更して点灯駆動させる（ステップＣ６）。すなわち、表示対象情報の発光パターンの中から“縦長正向き”及び振り方向（Ｘ軸マイナス方向）に応じて切り出したドットパターンをその加速度に応じた間隔で点灯駆動させる。この場合、図８（ａ）の例においては、この発光パターンの右上角部分から発光素子ＬＥＤ１〜ＬＥＤ１３の配列方向（切り出し方向）に沿って１ドット列分のパターンを切り出すと共に、その切り出し方向をＸ軸マイナス方向に移動しながら順次切り出す。
【００３１】
他方、装置本体がＺ軸方向に振られた場合には（ステップＣ２でＮＯ）、上述の場合と基本的に同様な処理を行う。すなわち、その加速度が閾値未満であれば（ステップＣ７でＮＯ）、図６のフローの終了となるが、閾値以上で（ステップＣ７でＹＥＳ）、加速度がプラス方向であれば（ステップＣ８でＹＥＳ）、表示対象情報の発光パターンの中から“縦長正向き”及び振り方向（Ｚ軸プラス方向）に応じて切り出したドットパターンをその加速度に応じた間隔で点灯駆動させる（ステップＣ９）。
【００３２】
この場合、図８（ａ）に示す表示対象情報の発光パターンのサイズを変更したのち、ドットパターンの切り出しを行う。すなわち、長方形の対角線上に沿って斜め一列に配置された発光素子ＬＥＤ１〜ＬＥＤ１３において、その長方形の短辺の長さと発光パターンの横幅とが略一致するように、発光パターン全体のサイズを変更する。その後、発光パターンの右上角部分から発光素子ＬＥＤ１〜ＬＥＤ１３の配列方向（切り出し方向）に沿って１ドット列分のパターンを切り出すと共に、その切り出し方向をＺ軸プラス方向に移動しながら順次切り出す。
【００３３】
また、加速度がマイナス方向であれば（ステップＣ８でＮＯ）、表示対象情報の発光パターンの中から“縦長正向き”及び振り方向（Ｚ軸マイナス方向）に応じて切り出したドットパターンをその加速度に応じた間隔で点灯駆動させる（ステップＣ１０）。この場合、発光パターンの左下角部分から発光素子ＬＥＤ１〜ＬＥＤ１３の配列方向（切り出し方向）に沿って１ドット列分のパターンを切り出すと共に、その切り出し方向をＺ軸マイナス方向に移動しながら順次切り出す。
【００３４】
一方、向き判定の結果が“縦長逆向き”であれば（ステップＣ１）、“縦長逆向き”に応じた発光制御処理を実行し（ステップＣ１１）、“横長正向き”であれば（ステップＣ１）、“横長正向き”に応じた発光制御処理を実行する（ステップＣ１２）。図９（ｂ）は、“横長正向き”及び振り方向（Ｘ軸プラス方向）の場合の表示例を示した図で、この場合には、発光パターンの左上角部分から発光素子ＬＥＤ１〜ＬＥＤ１３の配列方向（切り出し方向）に沿って１ドット列分のパターンを切り出すと共に、その切り出し方向をＸ軸プラス方向に移動しながら順次切り出す。
【００３５】
また、図９（ｂ）に示すように、Ｖ字を矩形で囲んだ図形の左上角部が最も早く（古く）表示され、右下角部が最も遅く（新しく）表示される。また、向き判定の結果が“横長逆向き”であれば（ステップＣ１）、“横長逆向き”に応じた発光制御処理を実行する（ステップＣ１３）。なお、これらの発光制御処理（ステップＣ１１〜Ｃ１３）は、上述した“縦長正向き”に応じた発光制御処理（ステップＣ２〜Ｃ１０）と基本的に同様であるため、その説明は省略するものとする。
【００３６】
以上のように、この実施形態において制御部１は、複数の発光素子ＬＥＤ１〜ＬＥＤ１３が斜め一列に配置されている状態において、加速度センサ１２によって検出された振る速度に合わせて表示対象情報の発光パターンを順次切り出しながら複数の発光素子ＬＥＤ１〜ＬＥＤ１３を時系列に駆動させる際に、加速度センサ１２によって検出された振りの状態に応じてその切り出し駆動の仕方を変更するようにしたので、装置本体をどのように振ったとしても同じ情報を残像表示させることが可能となり、柔軟性に富み、使い勝手を向上させることができる。
【００３７】
また、加速度センサ１２によって検出された装置本体の振り方向に応じて発光パターンの切り出し駆動の仕方を変更するようにしたので、装置本体を振る方向を固定することなく、どのような方向に振っても対応することができる。
【００３８】
また、加速度センサ１２によって検出された装置本体の向きに応じて発光パターンの切り出し駆動の仕方を変更するようにしたので、装置本体の向きを固定することなく、どのような向きでも対応することができる。
【００３９】
また、複数の発光素子ＬＥＤ１〜ＬＥＤ１３が斜め一列に配置されている状態において、装置本体の辺毎にその辺が鉛直方向を向く状態を装置本体の向きとして、それぞれ検出するようにしたので、装置本体の各向きを正確かつ容易に検出することができる。
【００４０】
また、加速度センサ１２によって検出された装置本体の振り方向及び向きに応じて発光パターンの切り出し駆動の仕方を変更するようにしたので、装置本体を振る方向及び向きを固定することなく、どのような方向に振ってもどのような向きでも対応することができる。
【００４１】
なお、上述した実施形態においては、矩形（長方形）の対角線上に沿って複数の発光素子ＬＥＤ１〜ＬＥＤ１３を配置することで当該複数の発光素子ＬＥＤ１〜ＬＥＤ１３が斜め一列に配置するようにしたが、矩形を正方形とすると、その対角線が４５度となるため、発光素子の配列角度は４５度となり、装置本体を縦長に向けても横長に向けても、残像表示は同じ大きさとなる。すなわち、矩形が長方形の場合には、その長方形の短辺の長さと発光パターンの横幅とが略一致するように、発光パターンのサイズを変更するようにしたが、矩形が正方形の場合には、発光パターンのサイズを変更する必要が無いために、装置本体を縦長に向けても横長に向けても、残像表示は同じ大きさとなる。
【００４２】
また、上述した実施形態においては、複数の発光素子ＬＥＤ１〜ＬＥＤ１３を斜め一列に配置するようにしたが、斜め２列に直線的に配置したり、斜め３列に直線的に配置したりするようにしてもよい。
また、発光素子の個数は１４個以上であってよく、発光素子の個数を増やすことによってより精細な表示が可能となる。また、複数の発光素子の配列状態は、厳格な意味での直線に限らず、直線的であれば、やや弧状を帯びていてもよい。
【００４３】
また、上述した実施形態においては、加速度センサ１２によって装置本体の向きや振り方向を検出するようにしたが、その他の傾きセンサ、振動センサなどであってもよい。
その他、端末装置としては、携帯電話機に限らず、ＰＤＡ、デジタルカメラ、音楽プレイヤー、表示玩具など、任意の端末装置であってもよい。
【図面の簡単な説明】
【００４４】
【図１】端末装置として適用した携帯電話機の基本的な構成要素を示したブロック図。
【図２】携帯電話機の外観図。
【図３】加速度センサ１２によって検出された装置本体を振る速度に合わせて複数の発光素子ＬＥＤ１〜ＬＥＤ１３を時系列に駆動させた場合の表示例を示した図。
【図４】電源投入に伴って実行開始される携帯電話機の全体動作の概要を示したフローチャート。
【図５】向き判定処理（図４のステップＡ１１）を詳述するためのフローチャート。
【図６】発光制御処理（図４のステップＡ１５）を詳述するためのフローチャート。
【図７】装置本体の向きを説明するための図で、（ａ）は、縦長正向き、（ｂ）は、縦長逆向き、（ｃ）は、横長正向き、（ｄ）は、横長逆向きを示した図。
【図８】（ａ）〜（ｃ）は、縦長正向き及び振り方向（Ｘ軸プラス方向）に応じてドットパターンの切り出し方を例示した図。
【図９】（ａ）は、“縦長正向き”及び振り方向（Ｘ軸プラス方向）の場合の表示例を示した図、（ｂ）は、横長正向き及び振り方向（Ｘ軸プラス方向）の場合の表示例を示した図。
【符号の説明】
【００４５】
１  制御部
３  記憶部
１０  発光部
１１  時計部
１２  加速度センサ
Ａ  操作部筐体
Ｂ  表示部筐体
Ｃ  ヒンジ部
ＬＥＤ１〜ＬＥＤ１３  発光素子
【図１】
2010079618.tif 000003
【図２】
2010079618.tif 000004
【図３】
2010079618.tif 000005
【図４】
2010079618.tif 000006
【図５】
2010079618.tif 000007
【図６】
2010079618.tif 000008
【図７】
2010079618.tif 000009
【図８】
2010079618.tif 000010
【図９】
2010079618.tif 000011